【事件の表示】
　特願２０１５−２５５９２６「加速度に基づく動き許容および予測符号化」拒絶査定不服審判事件〔平成２８年　７月１１日出願公開、特開２０１６−１２６７９７、請求項の数（９）〕について、次のとおり審決する。
【結　論】
　原査定を取り消す。
　本願の発明は、特許すべきものとする。
【理　由】
第１　手続の経緯
　本願は，平成２７年１２月２８日（パリ条約による優先権主張２０１４年１２月２７日，米国，２０１５年１１月１８日，米国）の出願であって，令和２年１月１４日付けで拒絶の理由が通知され，同年４月８日に意見書とともに手続補正書が提出され，同年８月２０日付けで拒絶査定（謄本送達日同年８月２４日）がなされ，これに対して同年１２月１日に拒絶査定不服審判の請求がなされるとともに手続補正がなされ，令和３年２月２日付けで審査官により特許法１６４条３項の規定に基づく報告がなされ，同年３月８日に上申書が提出されたものである。
第２　原査定の概要
　原査定（令和２年８月２０日付け拒絶査定）の概要は次のとおりである。
（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　１−９
・引用文献等　１−３
　　　　　　　　　　　　　＜引用文献等一覧＞
１.特開２００９−１５１４４６号公報
２.特開２００９−２７７０３３号公報
３.特開平０９−００６８９１号公報
第３　審判請求時の補正について
　審判請求時の補正（以下，「本件補正」という。）は，特許法１７条の２第３項から第６項までの要件に違反しているものとはいえない。
　本件補正によって請求項１に「前記検知された動きに応じて、前記スキャナーの、前記スキャン可能な対象に相対的な」という事項，及び，「自動的に」という事項を追加する補正は，本件補正前の「速度」及び「スキャンする」との事項をそれぞれ限定的に減縮するものであり，また，当該「前記検知された動きに応じて、前記スキャナーの、前記スキャン可能な対象に相対的な」という事項は，当初明細書の段落【００３２】に，「スキャナー１２の画像センサ２２が活動化される間、
スキャナー１２の動きセンサ２６は、スキャン可能な対象に相対的なスキャナー１２の動きを検知する
関心領域３０は
プロセッサ１６が、復号アルゴリズムを実行することを始めるべきである画像の領域である
関心領域３０が規定されると、捕捉される画像３２
をスキャンまたは復号するプロセスが、関心領域３０で始まる
　そして，以下第４〜第６に示すように，補正後の請求項１〜９に係る発明は，独立特許要件を満たすものである。
第４　本願発明
　本願請求項１〜９に係る発明（以下「本願発明１」〜「本願発明９」という。）は，特許請求の範囲の請求項１〜９に記載された，次のとおりのものと認める。（下線部は，補正された箇所を示す。）
「　【請求項１】
　スキャン可能な対象の画像の内部の関心領域(region of interest)の位置を予測する方法であって、
　プロセッサおよび画像センサを有するスキャナーを用意するステップと、
　視野方向(viewing direction)で、スキャン可能な対象に向かって当該スキャン可能な対象を検知するステップであって、撮像面が前記視野方向と直交する、検知するステップと、
　前記画像センサに対するゲインおよび露出時間をセットするステップと、
　前記スキャン可能な対象の画像を前記画像センサによって捕捉するステップと、
　前記スキャン可能な対象に相対的な、動きセンサ面内の前記スキャナーの動きを検知するステップであって、前記動きセンサ面が前記撮像面と平行であり、前記動きが検出されると、前記ゲインを増大すること、または、前記露出時間を低下させることのいずれかを引き起こす、検知するステップと、
　前記検知された動きに応じて、前記スキャナーの、前記スキャン可能な対象に相対的な
　関心領域を、前記捕捉される画像内で、前記速度および前記運動方向に応答して位置決めするステップと、
　前記捕捉される画像を、前記関心領域を起点として
自動的に
を含む、方法。
　　【請求項２】
　前記関心領域を位置決めする前記ステップが、
　動きが検出されないときに、前記関心領域を、前記捕捉される画像の中心で位置決めする(locating)ステップと、
　動きが検出されるときに、前記関心領域を、前記捕捉される画像の前記中心からの、および、前記捕捉される画像の縁部の方への、ずれ方向(offset direction)において位置決めするステップであって、前記ずれ方向が前記運動方向と実質的に平行である、位置決めするステップと
をさらに含む、請求項１に記載の方法。
　　【請求項３】
　前記関心領域を位置決めする前記ステップが、
　動きが検出されるときに、前記関心領域を、前記画像の前記中心から測定されるずれ距離(offset distance)で位置決めするステップであって、前記ずれ距離が前記速度に比例する、位置決めするステップ
をさらに含む、請求項２に記載の方法。
　　【請求項４】
　光源を用意するステップと、
　前記光源を、前記視野方向で光を方向設定する(direct light)ように構成する(configuring)ステップと、
　前記光源を、選択的に非活動化状態および活動化状態の１つであるように構成するステップと、
　前記光源を、動きが検出されるときに活動化するステップと
をさらに含む、請求項１に記載の方法。
　　【請求項５】
　光源を用意するステップと、
　前記光源を、光を前記視野方向で方向設定するように構成するステップと、
　前記光源を、選択的に非活動化状態および活動化状態の１つであるように構成するステップと、
　前記光源を、動きが検出されるときに活動化するステップと
をさらに含む、請求項２に記載の方法。
　　【請求項６】
　光源を用意するステップと、
　前記光源を、光を前記視野方向で方向設定するように構成するステップと、
　前記光源を、選択的に非活動化状態および活動化状態の１つであるように構成するステップと、
　前記光源を、動きが検出されるときに活動化するステップと
をさらに含む、請求項３に記載の方法。
　　【請求項７】
　前記画像センサと前記スキャン可能な対象との間の距離に対応する撮像距離(imaging distance)を規定するステップと、
　前記画像センサに対する前記露出時間を規定するステップと、
　前記露出時間および前記撮像距離に基づいて前記速度を推定するステップと
をさらに含む、請求項１に記載の方法。
　　【請求項８】
　前記画像センサと前記スキャン可能な対象との間の距離に対応する撮像距離を規定するステップと、
　前記画像センサに対する前記露出時間を規定するステップと、
　前記露出時間および前記撮像距離に基づいて前記速度を推定するステップと
をさらに含む、請求項２に記載の方法。
　　【請求項９】
　前記画像センサと前記スキャン可能な対象との間の距離に対応する撮像距離を規定するステップと、
　前記画像センサに対する露出時間を規定するステップと、
　前記露出時間および前記撮像距離に基づいて前記速度を推定するステップと
をさらに含む、請求項３に記載の方法。」
第５　引用例
１　引用例１に記載された事項
　原査定の拒絶の理由において引用した，本願の第一国出願前に既に公知である，特開２００９−１５１４４６号公報（平成２１年７月９日公開。以下，これを「引用例１」という。）には，関連する図面と共に，次の事項が記載されている。（下線は当審で付加。以下同様。）
Ａ　「【０００５】
　
本発明は
読み取りエリア内に複数の情報コードが含まれる場合に、ユーザが希望する情報コードを迅速かつ的確に特定でき、ひいては読取処理時間を短縮化できる光学的情報読取装置
…（中略）…
【００４５】
　（１．全体構成）
　図１に示す
光学的情報読取装置１は、バーコードや二次元コードを読み取るコードリーダとして構成され
受光センサ２３
と
制御回路４０
等のマイクロコンピュータ
から構成され
Ｂ　「【００５６】
　このように光学的情報読取装置１を構成することによって、例えば、電源スイッチ４１がオンされて所定の自己診断処理等が正常終了し、
情報コードＣの読み取りが可能な状態になると、照明光Ｌｆの発光を指示する操作スイッチ４２
の入力を受け付け
【００５７】
　すると、
情報コードＣに照射された照明光Ｌｆが反射しその反射光Ｌｒが
受光センサ２３の受光面２３ａに
コード画像が結像され
受光センサ２３から出力される信号データは
情報コードＣの画像を含んだ画像データとしてメモリ３５内に記憶され
第１の時期
における受光センサ２３による受光結果に基づいて読取対象の第１画像を生成する
第１画像に含まれる情報コードの画像をデコードする
Ｃ　「【００６０】
　そして、Ｓ１にて取得した
画像データ内に含まれる情報コードをデコードする処理
デコード処理では、画像データ内に含まれる情報コードの全てのデコードを行
画像データ内に２以上の情報コードが含まれる場合にはその複数の情報コードを全てデコードする
Ｄ　「【００８７】
　図２に示すように、Ｓ７の処理が終わると、Ｓ８にて情報コード選択処理が行われる。この
情報コード選択処理は
取得画像に複数含まれる情報コードの中からいずれかの情報コードを選択する処理である
情報コードの配置領域か否かをポイント値が大きい領域
から順に調べ、よりポイント値が大きい領域に配置される情報コードをデコードすべき情報コードとして選択する
【００８８】
　なお、Ｓ７では
第１画像から第２画像に変化する際に、画像中心位置へ接近しようとする領域のポイント値が高くなるように各領域が数値設定され
Ｅ　「【０１２５】
　上記実施形態では、
異なる時期に得られた２つの画像（第１画像及び第２画像）を用いて光学的情報読取装置１の操作方向及び操作量を検出した
光学的情報読取装置１内に加速度センサを設け、これを「操作方向検出手段」「操作量検出手段」として機能させてもよい
Ｆ　「【０１２８】
　この構成の場合、
第１の時期後
に第１加速度センサ７１及び第２加速度センサ７２から
値に基づいて、光学的情報読取装置１の移動方向及び移動量
を検出する
第１加速度センサ７１の値に基づきＸ軸方向における単位時間当たりの移動量Ｌｘを算出でき、第２加速度センサ７２に基づきＹ軸方向における単位時間当たりの移動量Ｌｙを算出できるため、これら移動量Ｌｘ、Ｌｙから単位時間当たりの全体の移動量Ｌａを求め、これを光学的情報読取装置１の操作量として
用いる
２　引用発明
ア　上記記載事項Ａの「本発明は…（中略）…読み取りエリア内に複数の情報コードが含まれる場合に、ユーザが希望する情報コードを迅速かつ的確に特定でき、ひいては読取処理時間を短縮化できる光学的情報読取装置」との記載，及び同じく記載事項Ａの「光学的情報読取装置１は、バーコードや二次元コードを読み取るコードリーダとして構成され」との記載から，引用例１には，“読み取りエリア内に複数の情報コードが含まれる場合に，ユーザが希望する情報コードを迅速かつ的確に特定でき，ひいては読取処理時間を短縮化できる光学的情報読取装置１における方法”について記載されているといえる。
　また，同じく上記記載事項Ａの「光学的情報読取装置１は、バーコードや二次元コードを読み取るコードリーダとして構成され…（中略）…受光センサ２３…（中略）…と…制御回路４０…（中略）…等のマイクロコンピュータ…（中略）…から構成され」との記載から，引用例１には，“バーコードや二次元コードを読み取るコードリーダとして構成される前記光学的情報読取装置１は，受光センサ２３と制御回路４０等のマイクロコンピュータとから構成され”ていることが記載されているといえる。
イ　上記記載事項Ｂの「情報コードＣの読み取りが可能な状態になると、照明光Ｌｆの発光を指示する操作スイッチ４２…の入力を受け付け…（中略）…情報コードＣに照射された照明光Ｌｆが反射しその反射光Ｌｒが…（中略）…受光センサ２３の受光面２３ａに…（中略）…コード画像が結像され…（中略）…受光センサ２３から出力される信号データは…（中略）…情報コードＣの画像を含んだ画像データとしてメモリ３５内に記憶され」との記載から，引用例１には，“情報コードＣの読み取りが可能な状態になると，照明光Ｌｆの発光を指示する操作スイッチ４２の入力を受け付け，前記情報コードＣに照射された照明光Ｌｆが反射しその反射光Ｌｒが受光センサ２３の受光面２３ａにコード画像として結像され，前記受光センサ２３から出力される信号データは，情報コードＣの画像を含んだ画像データとしてメモリ３５内に記憶され”ることが記載されているといえる。
ウ　上記記載事項Ｂの「第１の時期…（中略）…における受光センサ２３による受光結果に基づいて読取対象の第１画像を生成する…（中略）…第１画像に含まれる情報コードの画像をデコードする」との記載，及び，上記記載事項Ｃの「画像データ内に含まれる情報コードをデコードする処理…（中略）…デコード処理では、画像データ内に含まれる情報コードの全てのデコードを行…（中略）…画像データ内に２以上の情報コードが含まれる場合にはその複数の情報コードを全てデコードする」との記載から，引用例１には，“第１の時期における受光センサ２３による受光結果に基づいて読取対象の第１画像を生成し，前記第１画像に含まれる情報コードの画像をデコードし，前記画像データ内に含まれる情報コードをデコードする処理では，画像データ内に含まれる情報コードの全てのデコードを行い，画像データ内に２以上の情報コードが含まれる場合にはその複数の情報コードを全てデコード”することが記載されているといえる。
エ　上記記載事項Ｅの「異なる時期に得られた２つの画像（第１画像及び第２画像）を用いて光学的情報読取装置１の操作方向及び操作量を検出した」との記載，及び上記記載事項Ｄの「第１画像から第２画像に変化する際に、画像中心位置へ接近しようとする領域のポイント値が高くなるように各領域が数値設定され」との記載から，引用例１には，“異なる時期に得られた２つの画像である第１画像及び第２画像を用い，第１画像から第２画像に変化する際に，画像中心位置へ接近しようとする領域のポイント値が高くなるように各領域が数値設定”されることが読み取れる。
　また，上記記載事項Ｄの「情報コード選択処理は…（中略）…取得画像に複数含まれる情報コードの中からいずれかの情報コードを選択する処理である…情報コードの配置領域か否かをポイント値が大きい領域…から順に調べ、よりポイント値が大きい領域に配置される情報コードをデコードすべき情報コードとして選択する」との記載，及び上記認定事項から，引用例１には，“異なる時期に得られた２つの画像である第１画像及び第２画像を用い，第１画像から第２画像に変化する際に，画像中心位置へ接近しようとする領域のポイント値が高くなるように各領域が数値設定し，取得画像に複数含まれる情報コードの中からいずれかの情報コードを選択する情報コード選択処理では，情報コードの配置領域か否かをポイント値が大きい領域から順に調べ，よりポイント値が大きい領域に配置される情報コードをデコードすべき情報コードとして選択”することが記載されているといえる。
オ　上記記載事項Ｅの「光学的情報読取装置１内に加速度センサを設け、これを「操作方向検出手段」「操作量検出手段」として機能させてもよい」との記載，及び上記記載事項Ｆの「第１の時期後…に第１加速度センサ７１及び第２加速度センサ７２から…（中略）…値に基づいて、光学的情報読取装置１の移動方向及び移動量…を検出する…（中略）…第１加速度センサ７１の値に基づきＸ軸方向における単位時間当たりの移動量Ｌｘを算出でき、第２加速度センサ７２に基づきＹ軸方向における単位時間当たりの移動量Ｌｙを算出できるため、これら移動量Ｌｘ、Ｌｙから単位時間当たりの全体の移動量Ｌａを求め、これを光学的情報読取装置１の操作量として…用いる」との記載から，引用例１には，“光学的情報読取装置１内に加速度センサを設け，これを操作方向検出手段及び操作量検出手段として機能させてもよく，第１の時期後に第１加速度センサ７１及び第２加速度センサ７２からの値に基づいて，光学的情報読取装置１の移動方向及び移動量を検出し，第１加速度センサ７１の値に基づきＸ軸方向における単位時間当たりの移動量Ｌｘを算出し，第２加速度センサ７２に基づきＹ軸方向における単位時間当たりの移動量Ｌｙを算出して，これら移動量Ｌｘ，Ｌｙから単位時間当たりの全体の移動量Ｌａを求め，これを光学的情報読取装置１の操作量として用いる”ことが記載されているといえる。
カ　以上，上記ア〜オより，引用例１には，次の発明（以下「引用発明」という。）が記載されているといえる。
「読み取りエリア内に複数の情報コードが含まれる場合に，ユーザが希望する情報コードを迅速かつ的確に特定でき，ひいては読取処理時間を短縮化できる光学的情報読取装置１における方法であって，
　バーコードや二次元コードを読み取るコードリーダとして構成される前記光学的情報読取装置１は，受光センサ２３と制御回路４０等のマイクロコンピュータとから構成され，
　情報コードＣの読み取りが可能な状態になると，照明光Ｌｆの発光を指示する操作スイッチ４２の入力を受け付け，前記情報コードＣに照射された照明光Ｌｆが反射しその反射光Ｌｒが受光センサ２３の受光面２３ａにコード画像として結像され，前記受光センサ２３から出力される信号データは，情報コードＣの画像を含んだ画像データとしてメモリ３５内に記憶され，
　第１の時期における受光センサ２３による受光結果に基づいて読取対象の第１画像を生成し，前記第１画像に含まれる情報コードの画像をデコードし，前記画像データ内に含まれる情報コードをデコードする処理では，画像データ内に含まれる情報コードの全てのデコードを行い，画像データ内に２以上の情報コードが含まれる場合にはその複数の情報コードを全てデコードし，
　異なる時期に得られた２つの画像である第１画像及び第２画像を用い，第１画像から第２画像に変化する際に，画像中心位置へ接近しようとする領域のポイント値が高くなるように各領域が数値設定し，取得画像に複数含まれる情報コードの中からいずれかの情報コードを選択する情報コード選択処理では，情報コードの配置領域か否かをポイント値が大きい領域から順に調べ，よりポイント値が大きい領域に配置される情報コードをデコードすべき情報コードとして選択し，
　光学的情報読取装置１内に加速度センサを設け，これを操作方向検出手段及び操作量検出手段として機能させてもよく，第１の時期後に第１加速度センサ７１及び第２加速度センサ７２からの値に基づいて，光学的情報読取装置１の移動方向及び移動量を検出し，第１加速度センサ７１の値に基づきＸ軸方向における単位時間当たりの移動量Ｌｘを算出し，第２加速度センサ７２に基づきＹ軸方向における単位時間当たりの移動量Ｌｙを算出して，これら移動量Ｌｘ，Ｌｙから単位時間当たりの全体の移動量Ｌａを求め，これを光学的情報読取装置１の操作量として用いることができる
　光学情報読取装置１における方法。」
３　引用例２に記載された事項
　原査定の拒絶の理由において引用した，本願の第一国出願前に既に公知である，特開２００９−２７７０３３号公報（平成２１年１１月２６日公開。以下，これを「引用例２」という。）には，関連する図面と共に，次の事項が記載されている。
Ｇ　「【０００６】
　本発明の課題は、光照射による
コード情報読取において、容易且つ効果的に省電力化を実現する
【課題を解決するための手段】
【０００７】
　上記課題を解決するために、請求項１に記載の発明の携帯型コード読取装置は、
　加速度を所定周期で検知する加速度検知手段と、
　光を照射してコード情報を読み取る読取手段と、
　前記コード情報を読み取るアクティブ状態において前記読取手段の光の照射をオンし、所定時間の前記検知された加速度の平均値及び当該平均値を用いた分散値を算出し、当該分散値と所定の設定値とを比較し、その比較結果に応じて、前記
アクティブ状態でない状態に遷移した場合に前記読取手段の光の照射をオフする
Ｈ　「【００８７】
　以上、本実施の形態によれば、ＨＴ１は、アクティブの状態に設定し、
レーザスキャナ部２０により検知された加速度データＧｘ，Ｇｙ，Ｇｚについて、時刻ｔ１〜ｔ０、ｔ２〜ｔ０間の加速度データの平均値Ａｇｘ１，Ａｇｙ１，Ａｇｚ１，Ａｇｘ２，Ａｇｙ２，Ａｇｚ２を算出し、時刻ｔ１〜ｔ０、ｔ２〜ｔ０間の加速度Ｇｘ，Ｇｙ，Ｇｚ及び平均値Ａｇｘ１，Ａｇｙ１，Ａｇｚ１，Ａｇｘ２，Ａｇｙ２，Ａｇｚ２から分散値Ｂｇ１，Ｂｇ２を算出する
【００８８】
　そして、
ＨＴ１は、アクティブの状態において、分散値Ｂｇ１が設定値Ｃ１より小さいか否かを判別し、分散値Ｂｇ１が設定値Ｃ１より小さい場合に、スタンバイ状態としてレーザ光及び照準光の照射をオフする
４　引用例３に記載された事項
　原査定の拒絶の理由において引用した，本願の第一国出願前に既に公知である，特開平９−６８９１号公報（平成９年１月１０日公開。以下，これを「引用例３」という。）には，関連する図面と共に，次の事項が記載されている。
Ｉ　「【０００１】
【産業上の利用分野】本発明は、例えば２次元データシンボルのようなコード化された情報を読み取る
データシンボル読み取り装置
Ｊ　「【００４１】そして、各予備撮像により検出された２つの黒色パターン像から、一方の黒色パターン像に対する他方の黒色パターン像のずれ量を求め、この黒色パターン像のずれ量および前記各撮像の時間差に基づいて、
データシンボル３８の移動速度を算出し、この移動速度に基づいて、適正露光量となる適正露光時間および照明の適正光量
を求め
第６　対比・判断
１　本願発明１について
（１）対比
　本願発明１と引用発明とを対比する。
ア　引用発明の「光学的情報読取装置１」は，「バーコードや二次元コードを読み取るコードリーダとして構成される」ものであるから，“スキャナー”と言い得，また，引用発明の「受光センサ２３」及び「制御回路４０等のマイクロコンピュータ」はそれぞれ，本願発明１の「画像センサ」及び「プロセッサ」に相当するといえることから，引用発明の「光学的情報読取装置１」は，本願発明１の「スキャナー」に相当する。
　また，引用発明の「光学的情報読取装置１における方法」と本願発明の「スキャン可能な対象の画像の内部の関心領域(region of interest)の位置を予測する方法」とは，“方法”である点で共通し，当該方法が，“プロセッサおよび画像センサを有するスキャナーを用意するステップ”を含む点で一致する。
イ　引用発明は，「情報コードＣの読み取りが可能な状態になると，照明光Ｌｆの発光を指示する操作スイッチ４２の入力を受け付け，前記情報コードＣに照射された照明光Ｌｆが反射しその反射光Ｌｒが受光センサ２３の受光面２３ａにコード画像として結像され」るものであるところ，当該「情報コードＣ」，すなわち“スキャン可能な対象”を検知しているといえる。
　また，引用発明の「受光センサ２３」は，「情報コードＣに照射された照明光Ｌｆが反射しその反射光Ｌｒが受光センサ２３の受光面２３ａにコード画像として結像され」るところ，当該「受光センサ２３の受光面２３ａ」は，“撮像面”といい得るものであって，これは，「光学的情報読取装置１」の視野方向に対して直行していることが技術常識である。
　以上を総合すると，引用発明と本願発明１とは，“視野方向(viewing direction)で，スキャン可能な対象に向かって当該スキャン可能な対象を検知するステップであって，撮像面が前記視野方向と直交する，検知するステップ”を含む点で一致する。
ウ　引用発明は，「受光センサ２３による受光結果に基づいて読取対象の第１画像を生成」していることから，上記アの認定を踏まえると，引用発明と本願発明１とは，“前記スキャン可能な対象の画像を前記画像センサによって捕捉するステップ”を含む点で一致する。
エ　引用発明は，「光学的情報読取装置１内に加速度センサを設け，…（中略）…第１加速度センサ７１の値に基づきＸ軸方向における単位時間当たりの移動量Ｌｘを算出し，第２加速度センサ７２に基づきＹ軸方向における単位時間当たりの移動量Ｌｙを算出」するものであるところ，当該「加速度センサ」が設けられる面は，“動きセンサ面”といえる。
　そして，引用発明の「受光センサ２３の受光面２３ａ」は，上記“動きセンサ面”と平行であることは自明であるから，引用発明と本願発明１とは，下記の点（相違点２）で相違するものの，“前記スキャン可能な対象に相対的な，動きセンサ面内の前記スキャナーの動きを検知するステップであって，前記動きセンサ面が前記撮像面と平行である，検知するステップ”を含む点で一致する。
オ　引用発明は，「光学的情報読取装置１内に加速度センサを設け，これを操作方向検出手段及び操作量検出手段として機能させてもよく，第１の時期後に第１加速度センサ７１及び第２加速度センサ７２からの値に基づいて，光学的情報読取装置１の移動方向及び移動量を検出し，第１加速度センサ７１の値に基づきＸ軸方向における単位時間当たりの移動量Ｌｘを算出し，第２加速度センサ７２に基づきＹ軸方向における単位時間当たりの移動量Ｌｙを算出して，これら移動量Ｌｘ，Ｌｙから単位時間当たりの全体の移動量Ｌａを求め」るものであって，当該「第１加速度センサ７１の値に基づきＸ軸方向における単位時間当たりの移動量Ｌｘを算出」すること，及び「第２加速度センサ７２に基づきＹ軸方向における単位時間当たりの移動量Ｌｙを算出」することは，「光学的情報読取装置１」の“スキャン可能な対象に相対的な速度”を算出しているといい得，「第１加速度センサ７１及び第２加速度センサ７２からの値に基づいて，光学的情報読取装置１の移動方向」を検出することは，「光学的情報読取装置１」の“前記速度に対応する運動方向”を検出しているといえることから，上記アの認定も踏まえて総合すると，引用発明と本願発明１とは，“前記検知された動きに応じて，前記スキャナーの，前記スキャン可能な対象に相対的な速度，および，前記速度に対応する運動方向を出力するステップ”を含む点で一致する。
カ　引用発明は，「第１の時期における受光センサ２３による受光結果に基づいて読取対象の第１画像を生成し，前記第１画像に含まれる情報コードの画像をデコードし，前記画像データ内に含まれる情報コードをデコードする処理では，画像データ内に含まれる情報コードの全てのデコードを行い，画像データ内に２以上の情報コードが含まれる場合にはその複数の情報コードを全てデコード」するものであるとともに，「異なる時期に得られた２つの画像である第１画像及び第２画像を用い，第１画像から第２画像に変化する際に，画像中心位置へ接近しようとする領域のポイント値が高くなるように各領域が数値設定し，取得画像に複数含まれる情報コードの中からいずれかの情報コードを選択する情報コード選択処理では，情報コードの配置領域か否かをポイント値が大きい領域から順に調べ，よりポイント値が大きい領域に配置される情報コードをデコードすべき情報コードとして選択」するものであるから，当該「デコードすべき情報コードとして選択」される「取得画像に複数含まれる情報コードの中」の「情報コード」は，“関心領域”といい得るものである。
　そして，引用発明は，「光学的情報読取装置１内に加速度センサを設け，これを操作方向検出手段及び操作量検出手段として機能させてもよ」いものであること，及び上記エの認定事項から総合すると，引用発明と本願発明１とは，“関心領域を，前記捕捉される画像内で，前記速度および前記運動方向に応答して位置決めするステップ”を含む点で一致する。
キ　以上，ア〜カの検討から，引用発明と本願発明１とは，次の一致点及び相違点を有する。
〈一致点〉
　方法であって，
　プロセッサおよび画像センサを有するスキャナーを用意するステップと，
　視野方向(viewing direction)で，スキャン可能な対象に向かって当該スキャン可能な対象を検知するステップであって，撮像面が前記視野方向と直交する，検知するステップと，
　前記スキャン可能な対象の画像を前記画像センサによって捕捉するステップと，
　前記スキャン可能な対象に相対的な，動きセンサ面内の前記スキャナーの動きを検知するステップであって，前記動きセンサ面が前記撮像面と平行である，検知するステップと，
　前記検知された動きに応じて，前記スキャナーの，前記スキャン可能な対象に相対的な速度，および，前記速度に対応する運動方向を出力するステップと，
　関心領域を，前記捕捉される画像内で，前記速度および前記運動方向に応答して位置決めするステップと，
を含む，方法。
〈相違点１〉
　本願発明１が，「スキャン可能な対象の画像の内部の関心領域(region of interest)の位置を予測する方法」であるのに対し，引用発明は，「光学的情報読取装置１における方法」である点。
〈相違点２〉
　本願発明１が，「前記画像センサに対するゲインおよび露出時間をセットするステップ」を有し，「前記動きが検出されると、前記ゲインを増大すること、または、前記露出時間を低下させることのいずれかを引き起こす」ものであるのに対し，引用発明は，そのようなゲイン及び露出時間のセットについての特定はされていない点。
〈相違点３〉
　本願発明１が，「前記捕捉される画像を、前記関心領域を起点として自動的にスキャンするステップ」を有するのに対し，引用発明は，「画像データ内に含まれる情報コードをデコードする処理では，画像データ内に含まれる情報コードの全てのデコードを行い，画像データ内に２以上の情報コードが含まれる場合にはその複数の情報コードを全てデコード」するものであって，関心領域を起点として自動的にスキャンするものではない点。
（２）相違点についての判断
　相違点１〜３について検討する。
　引用発明は，「読み取りエリア内に複数の情報コードが含まれる場合に，ユーザが希望する情報コードを迅速かつ的確に特定でき，ひいては読取処理時間を短縮化できる光学的情報読取装置１における方法」において，当該「複数の情報コード」のデコードに際し，「画像データ内に含まれる情報コードをデコードする処理では，画像データ内に含まれる情報コードの全てのデコードを行い，画像データ内に２以上の情報コードが含まれる場合にはその複数の情報コードを全てデコード」するものであって，当該デコード時には複数ある「情報コード」全てがデコードされるものである。
　そして，引用発明と本願発明１とは，上記（１）オに示したとおり，“関心領域を，前記捕捉される画像内で，前記速度および前記運動方向に応答して位置決めする”点で共通するといえるものの，それは，上記全ての「情報コード」がデコードされた後であるから，「スキャン可能な対象の画像の内部の関心領域(region of interest)の位置を予測する」必要性はない。
　また，引用発明は，相違点２に係る構成，すなわち「前記画像センサに対するゲインおよび露出時間をセットするステップ」を有していないので，「前記動きが検出されると、前記ゲインを増大すること、または、前記露出時間を低下させることのいずれかを引き起こす」こともなく，このことにより，相違点３に係る構成である，「捕捉される画像を、前記関心領域を起点として自動的にスキャン」する必要性もない。
　そして，相違点１及び３に係る構成は，上記第５　３及び４に示した引用例２及び引用例３にも記載が無く，また，本願第１国出願前に周知な技術ともいえないから，その余の相違点について判断するまでもなく，本願発明１は，当業者であっても，引用発明，並びに引用例２及び３に記載された技術的事項に基づいて容易に発明できたものとはいえない。
２　本願発明２〜９について
　本願発明２〜９は，本願発明１の構成を全て含むものであるから，本願発明１と同じ理由により，当業者であっても，引用発明，並びに引用例２及び３に記載された技術的事項に基づいて容易に発明できたものとはいえない。
第７　原査定について
＜特許法２９条２項について＞
　審判請求時の補正により，本願発明１〜９は，「前記捕捉される画像を、前記関心領域を起点として
自動的に
第８　むすび
　以上のとおり，原査定の理由によっては，本願を拒絶することはできない。
　また，他に本願を拒絶すべき理由を発見しない。
　よって，結論のとおり審決する。